(57)【要約】哺乳動物のラパマイシン標的タンパク質（ｍＴＯＲ）の可能性のあるモジュレーターのスクリーニング方法が、細胞ＡＴＰレベルの検出に基づいて提供される。また、ｍＴＯＲシグナル伝達に依存する病状または病状（癌、リウマチ様関節炎、再狭窄および移植拒絶）を処置するのに有用な組成物も提供される。【特許請求の範囲】
【請求項１】
ＴＯＲの可能性のあるモジュレーターのスクリーニング方法であって：
（a）試験薬を細胞とともにインキュベートすること；
（b）該試験薬が不存在の場合と比較して該細胞のＡＴＰレベルの減少を検出すること；および
（c）該細胞におけるＡＴＰレベルの減少を、ＴＯＲの可能性のあるモジュレーターの存在と関連付けること
を含んでなる方法。
【請求項２】
減少が少なくとも１％、好ましくは少なくとも５〜１０％である、請求項１に記載の方法。
【請求項３】
減少が５０％以下である、請求項１または２に記載の方法。
【請求項４】
細胞中のＡＴＰレベルがルシフェラーゼアッセイを用いて検出される、請求項１〜３のいずれかに記載の方法。
【請求項５】
可能性のあるモジュレーターがｍＴＯＲシグナル伝達に依存する疾患または病状に対して有効である、請求項１〜４のいずれかに記載の方法。
【請求項６】
可能性のあるモジュレーターが癌、リウマチ様関節炎、再狭窄および移植拒絶からなる群から選択される疾患または病状のいずれかに対して有効である、請求項１〜５のいずれかに記載の方法。
【請求項７】
腫瘍形成の予防または予防的処置、あるいは腫瘍、リウマチ様関節炎、再狭窄、移植拒絶の処置または予防的処置、あるいはｍＴＯＲが関係する任意の疾患の処置または予防的処置のための組成物であって、細胞におけるＡＴＰレベルを、少なくとも１％、好ましくは少なくとも５〜１０％、ただし、７５％以下減少させる化合物を含んでなる組成物。
【請求項８】
医薬上許容される賦形剤、希釈剤または担体をさらに含んでなる、請求項７に記載の組成物。
【請求項９】
化合物がｍＴＯＲ活性に影響する、請求項７または８に記載の組成物。
【請求項１０】
医薬として使用するための請求項７〜９のいずれかに記載の組成物。
【請求項１１】
癌、リウマチ様関節炎、再狭窄または移植拒絶を処置するための請求項７〜１０のいずれかに記載の組成物の使用。
【請求項１２】
癌がラパマイシン感受性である、請求項１１に記載の使用。
【請求項１３】
癌が高い細胞内ＡＴＰ濃度により特徴付けられる、請求項１１または１２に記載の使用。
【請求項１４】
癌が間葉性または上皮性である、請求項１１〜１３のいずれかに記載の使用。
【請求項１５】
癌が固形腫瘍である、請求項１１〜１４のいずれかに記載の使用。
【請求項１６】
癌がグリア芽腫または乳癌である、請求項１１〜１５のいずれかに記載の使用。
【請求項１７】
ｍＴＯＲに依存する疾患または病状を処置する方法であって、細胞におけるＡＴＰレベルを少なくとも１％、好ましくは少なくとも５〜１０％、ただし７５％以下、減少させる化合物の有効量を投与することを含んでなる方法。
【請求項１８】
疾患または病状が癌、リウマチ様関節炎、再狭窄および移植拒絶からなる群から選択される、請求項１７に記載の方法。
【請求項１９】
ｍＴＯＲに依存する疾患または病状を診断または予後診断する方法であって：
a）  個体からサンプルを取得すること；
b）  当該サンプルをＡＴＰまたはＡＴＰマーカーの存在について分析すること；および
c）  非罹病個体からのサンプルと比較して上昇したレベルの当該ＡＴＰまたはＡＴＰマーカーの存在を、好ましくない予後診断または診断と関連付けること
を含んでなる方法。
【請求項２０】
マーカーが糖分解酵素である、請求項１９に記載の方法。
【発明の詳細な説明】
【０００１】
本発明は、腫瘍および癌治療の分野に関する。さらに詳しくは、本発明は、抗腫瘍活性および／または抗腫瘍形成活性の剤をスクリーニングする方法、ならびに非腫瘍性または非癌細胞と比較して腫瘍または癌細胞の成長、分裂または生存度を選択的に殺すかまたは減少させることを意図する治療方法に関する。本発明は、分子生物学、細胞生物学および薬理学の分野に関する。
【０００２】
世界の比較的豊かな国において、癌は概ね５人に１人の死亡の原因である。１９９３年に、米国癌学会（The American Cancer Society）は５種の最も一般的な癌は、肺、胃、胸部、結腸／直腸および子宮頸部のものであると報告している。腫瘍細胞は細胞サイクルの正常な制御を失っており、正常細胞と比較して制御されずに分裂する。細胞プロセスを制御する細胞下機構（sub-cellular machinery）は、細胞成長、複製および分裂の必須のプロセスを誘導および調和させる相互作用タンパク質の複合生化学的ネットワークからなる。
【０００３】
環境合図（environmental cue）は、外部の状態を反映しそして細胞ホメオスタシスを維持するために、細胞内の代謝状態を調節するための細胞性調節要素により解読される。哺乳動物のラパマイシン標的タンパク質（mammalian target of rapamycin；ｍＴＯＲまたはＴＯＲ）は、プロテインキナーゼのホスファチジルイノシチド関連ファミリーのメンバーであり、そして栄養検知と主要な代謝応答の調節との間の接触面（interface）に位置している（Dennis et al., Curr Opin Genet & Dev 9, 49 （1999）；Gingras et al., Genes & Dev. 15, 807 （2001）；Schmelzle and Hall, Cell 103, 193 （2000））。さらに詳しくは、マイトジェンおよびアミノ酸の利用可能性に依存して、ｍＴＯＲは翻訳およびリボソーム生合成を正に調節する一方、自食作用を負に制御し（Dennis et al., 1999）、ｍＴＯＲが翻訳前駆体（translational precursor）の利用可能性の関数としてタンパク質合成速度を設定するように作用するという示唆がもたらされる（Hara et al., J. Biol. Chem. 273, 14484 （1998）；Iiboshi et al., J.Biol.Chem. 274, 1092 （1999））。マイトジェンおよびアミノ酸に応答して、ｍＴＯＲはリン酸化を行い、そして２つの重要な転写レギュレーター、Ｓ６キナーゼ１（Ｓ６Ｋ１）およびイニシエーション因子４Ｅ結合タンパク質（４Ｅ−ＢＰ１）（Gingras et al., 2001）の活性を調節する。しかしながら、マイトジェンまたはアミノ酸処理の後に、インビトロにおけるｍＴＯＲ活性の変化を検出する能力は、証明が困難であった（Gingras, et al., 2001；Schmelzle and Hall, 2000）。
【０００４】
ｍＴＯＲの機能を制御する分子メカニズムを理解することの重要性は、ラパマイシンが転移性腎細胞カルシノーマ、および非小細胞肺癌、前立腺癌および乳癌を有する患者における固形腫瘍の処置において有効であることを示す最近の第１相臨床試験により強調される（Hidalgo and Rowinsky, 2000, Oncogene 19, 6680）。それにもかかわらず、体の正常細胞に影響せずに、広範な癌細胞を選択的に殺す代替的方法を見つける必要性は残存している。
【０００５】
関連文献
P. B. Dennis, S. Fumagalli, G. Thomas, Curr Opin Genet & Dev 9, 49 （1999）.
A. C. Gingras, B. Raught, N. Sonenberg, Genes & Dev. 15, 807 （2001）.
T. Schmelzle, M. N. Hall, Cell 103, 193 （2000）.
K. Hara et al., J. Biol. Chem. 273, 14484 （1998）.
M. Hidalgo, E. K. Rowinsky, Oncogene 19, 6680 （2000）.
E. V. Schmidt, Oncogene 18, 2988 （1999）.
J. Roberts, Science 278, 2073 （1997）.
C. J. Lynch, H. L. Fox, T. C. Vary, L. S. Jefferson, S. R. Kimball, J. Cell. Biochem. 77, 234 （2000）.
T. Gaal, M. S. Bartlett, W. Ross, C. L. Turnbough, Jr., R. L. Gourse, Science 278, 2092 （1997）.
【０００６】
発明の要約
本発明は、ＴＯＲの可能性のあるモジュレーターのスクリーニング方法であって：試験薬（test agent）を細胞とともにインキュベートすること；該試験薬が不存在の場合と比較して該細胞のＡＴＰレベルの減少を検出すること；および該細胞におけるＡＴＰレベルの減少を、ＴＯＲの可能性のあるモジュレーターの存在と関連付けることを含んでなる方法を提供する。ＡＴＰレベルの減少は、少なくとも１％、好ましくは少なくとも５〜１０％、ただし７５％以下、好ましくは５０％以下である。細胞中のＡＴＰレベルは、ルシフェラーゼに基づくアッセイを用いて簡便に検出され得る。
【０００７】
可能性のあるモジュレーターは、好ましくは、癌、リウマチ様関節炎、再狭窄および移植拒絶を含む（が、これらに限定されない）ｍＴＯＲシグナル伝達に依存する疾患または病状に対して有効であり、したがって、これらの疾患および病状の処置（予防的処置を含む）のために使用され得る。
【０００８】
したがって、本発明は、また、腫瘍形成の予防または予防的処置、あるいは腫瘍、リウマチ様関節炎（または他の炎症性疾患）、再狭窄、移植拒絶の処置または予防的処置、あるいはｍＴＯＲが関係する任意の疾患の処置または予防的処置のための組成物であって、細胞におけるＡＴＰレベルを少なくとも１％、好ましくは少なくとも５〜１０％、減少させる化合物を含んでなる組成物を提供する。該化合物は、好ましくは、７５％以上、細胞のＡＴＰレベルを減少させない。該組成物は、医薬として使用するために、医薬上許容される賦形剤、希釈剤または担体とともに提供され得る。
【０００９】
医薬製造のための、あるいはｍＴＯＲに依存する疾患または病状を処置するための、あるいは癌、リウマチ様関節炎、再狭窄または移植拒絶を処置するための、かかる組成物の使用も、本発明に包含される。癌は、典型的には、高い細胞内ＡＴＰ濃度を有することにより特徴付けられる。該癌は、固形腫瘍であり得る。該癌は、上皮性または間葉性であり得、例えばグリア芽腫または乳癌であり得る。
【００１０】
また、ｍＴＯＲに依存する疾患または病状を処置する方法であって、細胞内のＡＴＰレベルを少なくとも１％、好ましくは少なくとも５〜１０％、ただし７５％以下、減少させる化合物の有効量を投与することを含んでなる方法も提供される。該疾患または病状は、癌、リウマチ様関節炎、再狭窄および移植拒絶からなる群から選択され得る。
【００１１】
本発明のさらなる態様において、ｍＴＯＲに依存する疾患または病状を診断または予後診断する方法が提供される。該方法は：個体からサンプルを取得すること；当該サンプルをＡＴＰまたはＡＴＰマーカー（例えば、糖分解酵素）の存在について分析すること；および非罹病個体からのサンプルと比較して上昇しているレベルのＡＴＰまたはＡＴＰマーカーの存在を、好ましくない予後診断または診断と関連付けることを含んでなる。
【００１２】
詳細な記載
細菌性マクロライド、ラパマイシンは、固形腫瘍に対する有効な抗癌剤である。低酸素の環境において、かかる腫瘍の重量の増加はマイトジェンおよび栄養の補充に依存している。栄養、特に必須アミノ酸の濃度が変化した場合、哺乳動物のラパマイシン標的タンパク質（ｍＴＯＲ）は、リボソーム生合成および細胞成長を制御する調節経路において機能する。本発明は、ｍＴＯＲ経路が、豊富なアミノ酸と無関係に、ＡＴＰの細胞内濃度により影響され、そしてｍＴＯＲ自体はＡＴＰセンサーであるという観察結果に基づいている。ＡＴＰが真核細胞において利用されているので、ｍＴＯＲは、細胞内ＡＴＰ濃度を反映するためにリボソーム生合成速度を調節する、ホメオスタチックセンサーとして機能すると提案されている。
【００１３】
腫瘍において、代謝流束（metabolic flux）は糖分解に向け直され、ＡＴＰのより速い産生がもたらされる。本願発明者らは、ＡＴＰ産生が増加しているかかる腫瘍は、通常の細胞と比べて、ｍＴＯＲインヒビターの効果に対してより感受性であり、そして細胞内ＡＴＰ濃度の減少に対してより感受性であり得ると確信している。
【００１４】
したがって、本発明は、ｍＴＯＲシグナル伝達の可能性のあるモジュレーターのスクリーニング方法であって：試験薬を細胞とともにインキュベートすること；該試験薬が不存在の場合と比較して該細胞のＡＴＰレベルの減少を検出すること；および該細胞におけるＡＴＰレベルの減少を、ｍＴＯＲシグナル伝達の可能性のあるモジュレーターの存在と関連付けることを含んでなる方法を提供する。該細胞は、好ましくは哺乳動物細胞、さらに好ましくはヒト細胞であり、そして典型的には、増殖を容易にするためにセルラインとして入手可能である。
【００１５】
試験薬は化合物のライブラリーに存在し得、可能性のあるモジュレーターを同定するのに必要な時間を減少させるためのプールにおいて試験され得る。可能性のあるモジュレーターが試験薬のプール中に存在していると同定されると、それぞれの個々の試験薬は、可能性のあるモジュレーターを同定するために再試験され得る。その代わりに、既知の化合物は、プールされずに試験され、そして所望の特性を得るまたは改善するために化学的に修飾され得る。例えば、既知のＡＴＰ枯渇剤には、２−デオキシグルコース、シアニン、オリゴマイシン、バリノマイシンおよびアジド、ならびにそれらの塩および誘導体が含まれる。かかるＡＴＰ枯渇剤は、化学的に修飾されるか、または所望の効果、すなわち、ｍＴＯＲシグナル伝達に影響するのに十分であるが、正常細胞に有害な影響を与えることはない、細胞内ＡＴＰレベルの減少を得るための製剤で提供され得る。
【００１６】
典型的には、有用なモジュレーターは、細胞内ＡＴＰレベルにおいて、少なくとも１％、好ましくは少なくとも５％、さらに好ましくは少なくとも１５％またはそれ以上の減少をもたらす。正常細胞に対する有害な影響を避けるために、該減少は、好ましくは７５％以下、最も好ましくは５０％以下である。
【００１７】
ＡＴＰレベルは、当分野において既知の任意の方法により、または未だ発見されていない任意の方法により測定され得る。ＡＴＰレベルを測定するために使用され得る方法の例は、下記の実施例（ルシフェラーゼアッセイを用いてＡＴＰを検出している）において記載されており、ならびに米国特許番号第５,６１８,６８２号およびＷＯ ００／１８９５３（引用により、これらの全体を本明細書の一部とする。）においても記載されている。
【００１８】
本発明のスクリーニング方法は、さらに、試験薬の不存在下で成長した対照細胞を含み得、そしてＡＴＰレベルが対照および試験培養物の両方で測定される。それによって、試験測定は、対照に関して標準化され得る。また、該アッセイの再現性または当分野において周知の他の任意の所望の特徴に関して試験するために、他の内部対照（internal control）も使用され得る。
【００１９】
本発明のアッセイを通して、インキュベーションおよび／または洗浄工程が、それぞれの試薬の添加の後、または試薬の組合せのインキュベーションの後に必要とされ得る。インキュベーション工程は、約５分〜数時間、あるいは約３０分〜約６時間に変わり得る。しかしながら、インキュベーション時間は、通常、アッセイの形式、検体、溶液の容積、濃度などに依存する。アッセイは環境温度にて行われ得るが、それらは、また、例えば４℃〜４０℃の範囲の温度で実施され得る。細胞抽出物でのアッセイは、典型的には、４℃で行われる。
【００２０】
ｍＴＯＲは、数多くの疾患および病状において中心的役割を果たすことが知られている。かくして、可能性のあるモジュレーターは、例えばｍＴＯＲキナーゼ活性に対する可能性のあるモジュレーターの効果を測定することにより、ｍＴＯＲシグナル伝達に依存する任意の疾患または病状に対する有効性について試験され得る。該疾患または病状は、癌、リウマチ様関節炎（もしくは他の炎症性疾患）、再狭窄（内皮細胞阻害）および移植拒絶を含むが、これらに限定されるわけではない。かくして、癌、リウマチ様関節炎、再狭窄の処置または予防的処置ならびに移植拒絶の予防のための、あるいは本発明の任意のスクリーニング方法により同定された、ｍＴＯＲシグナル伝達に関係する任意の疾患または病状の処置または予防的処置のための、ｍＴＯＲシグナル伝達の可能性のあるモジュレーターもまた、本発明の範囲内である。これらの物質は、タンパク質、ポリペプチド、天然化合物（例えば、ポリケチド）または有機小分子（薬物）であり得る。したがって、本発明は、本発明のスクリーニング方法により同定される１もしくはそれ以上の物質を含んでなる、ｍＴＯＲシグナル伝達が関係する任意の疾患または病状を予防または処置するための医薬組成物を含む。
【００２１】
かくして、本発明のさらなる態様において、細胞においてＡＴＰレベルを少なくとも１％、好ましくは少なくとも５〜１０％、または少なくとも２５％、ただし７５％以下、好ましくは５０％以下、減少させる化合物を含んでなる、腫瘍形成の予防または予防的処置、あるいは腫瘍（間葉性または上皮性腫瘍、例えばグリア芽腫、もしくは白血病（特に異常Ｔ細胞増殖）、肺癌、胃癌、乳癌、結腸癌／直腸癌、子宮癌または子宮頚癌を含むが、これらに限定されない）、リウマチ様関節炎、再狭窄の処置または予防的処置、移植拒絶の予防、あるいはｍＴＯＲシグナル伝達が関係する任意の疾患の処置または予防的処置のための、組成物、特にヒトのための医薬組成物または動物のための獣医薬組成物（veterinary composition）が提供される。該組成物は、好ましくはｍＴＯＲ活性に影響する化合物を含んでなる。かくして、該組成物は、典型的には、ラパマイシン感受性の癌（例えば、固形腫瘍または高い細胞内ＡＴＰ濃度を有する癌）に対して有効である。該組成物は、また、他の活性剤または非活性剤を含み得る。非活性剤は、医薬上許容される賦形剤、希釈剤または担体、例えば生理食塩水、緩衝化生理食塩水、デキストロースまたは水を含み得る。
【００２２】
本発明は、さらに、ｍＴＯＲシグナル伝達に依存する疾患または病状、例えば癌、リウマチ様関節炎、再狭窄の予防または予防的処置、あるいは移植拒絶の予防（免疫抑制）のための医薬製造のための、前記のｍＴＯＲシグナル伝達の可能性のあるモジュレーターの使用を提供する。
【００２３】
したがって、本発明の組成物および医薬は、腫瘍または他の疾患が発症することを防ぐために、予防的に使用され得るか、あるいはそれらは既存の病状を処置または阻止するための治療法または部分的治療法において使用され得る。腫瘍または腫瘍細胞は、好ましくは、ラパマイシンに感受性のもの、および／または高い細胞内ＡＴＰ濃度を示すものである。特に好ましい実施態様において、腫瘍は固形腫瘍、例えば間葉性腫瘍、例えばグリア芽腫または上皮癌、例えば乳癌である。
【００２４】
本発明は、また、細胞においてＡＴＰレベルを少なくとも１％、好ましくは少なくとも５〜１０％、少なくとも２５％、ただし７５％以下、好ましくは５０％以下、減少させる化合物の有効量を投与することを含んでなる、ｍＴＯＲに依存する疾患または病状の処置方法を提供する。「処置」なる用語は、予防的処置ならびに既存の疾患または病状の処置を包含する。該疾患または病状は、癌、リウマチ様関節炎、再狭窄および移植拒絶を含むが、これらに限定されるわけではない。
【００２５】
有効量の決定は、当業者の技量の範囲内である。任意の化合物について、治療上有効量は、最初は、細胞培養アッセイにおいてまたは適当な動物モデルにおいて推測され得る。該動物モデルは、また、望ましい濃度範囲および投与経路を得るために使用される。次いで、かかる情報は、ヒトにおける投与に有用な用量および経路を決定するために使用され得る。
【００２６】
治療上有効量とは、徴候または病状を改善する活性剤の量を意味する。かかる化合物の治療的効力および毒性は、細胞培養物または実験動物において標準的な薬学的手順（例えば、ＥＤ５０、すなわち、集団の５０％において治療上有効な用量；およびＬＤ５０、集団の５０％に対し致死的な用量）により測定され得る。治療効果と毒性効果の間の用量比は治療インデックス（therapeutic index）であり、そしてそれはこれらの比、すなわちＬＤ５０／ＥＤ５０として表され得る。高い治療インデックスを示す医薬組成物が好ましい。細胞培養アッセイおよび動物試験から得られたデータは、ヒトにおける使用のための用量の範囲の策定において使用される。かかる化合物の用量は、好ましくはＥＤ５０を含むが毒性がほとんどまたは全くない循環濃度の範囲内にある。該用量は、使用される投与形態、患者の感受性および投与経路に依存して、この範囲内を変動する。
【００２７】
正確な用量は、処置される患者を考慮して、個々の医師により選択され得る。用量および投与は、活性成分の十分なレベルを提供するため、または所望の効果を維持するために調節され得る。考慮され得るさらなる要因は、疾患状態の重症度（例えば、腫瘍のサイズおよび位置）；患者の年齢、体重および性別；食事；投与の時間および頻度；併用薬（複数を含む）；反応感受性（reaction sensitivities）；および治療に対する耐性／応答を含む。長時間作用性医薬組成物は、特定の製剤の半減期およびクリアランス率に依存して、毎日、３〜４日毎、毎週、または隔週で投与され得る。
【００２８】
本発明の医薬組成物の投与は、経口的または非経口的に行われ得る。非経口的送達方法には、局所的、動脈内（例えば、腫瘍に直接的に）、筋肉内、皮下、髄内、くも膜下、脳室内、静脈内、腹腔内、または鼻腔内投与が含まれる。活性成分に加えて、これらの医薬組成物は、賦形剤を含んでなる適当な医薬上許容される担体、および医薬上使用され得る製剤への活性化合物の加工を促進する他の化合物を含有し得る。製剤化および投与のための技術についてのさらなる詳細は、Remington's Pharmaceutical Sciences （Maack Publishing Co, Easton PA）の最新版において見出され得る。
【００２９】
経口投与のための医薬組成物は、経口投与に適した用量で、当分野において周知の医薬上許容される担体を用いて製剤化され得る。かかる担体は、当該医薬組成物を、患者による服用に適した、錠剤、丸剤、糖衣錠、カプセル剤、液剤、ゲル剤、シロップ剤、スラリー、懸濁剤などとして製剤化することを可能にする。
【００３０】
経口使用のための医薬製剤は、活性成分を固体賦形剤と組み合わせ、所望により得られた混合物を粉砕し、そして適当な追加的化合物を添加した後に顆粒の混合物を加工して、所望により錠剤または糖衣錠核を得ることができる。適当な賦形剤としては、炭水化物またはタンパク質の充填剤であり、ラクトース、スクロース、マンニトール、またはソルビトールを含む糖類；コーン、コムギ、コメ、ジャガイモ、または他の植物からの澱粉；メチルセルロース、ヒドロキシプロピルメチル−セルロース、またはナトリウムカルボキシメチルセルロースのようなセルロース；ならびにアラビアゴムおよびトラガカントゴムを含むゴム；を含む、糖ならびにゼラチンおよびコラーゲンのようなタンパク質が挙げられるが、これらに限定されない。所望により崩壊剤または可溶化剤、例えば架橋ポリビニルピロリドン、寒天、アルギン酸、またはその塩、例えばアルギン酸ナトリウムが添加されてもよい。
【００３１】
糖衣錠核に、濃縮糖溶液（これは、また、アラビアゴム、タルク、ポリビニルピロリドン、カルボポールゲル、ポリエチレングリコール、および／または二酸化チタン、ラッカー溶液、ならびに適当な有機溶媒または溶媒混合物を含有してもよい。）のような適当なコーティングが提供され得る。染料または顔料が、錠剤または糖衣錠核に、製品の同定のために、または活性化合物の量（すなわち用量）の特性を記述するために添加されてもよい。
【００３２】
経口的に使用され得る医薬製剤には、ゼラチンでつくられたプッシュ−フィットカプセル（push-fit capsule）、ならびにゼラチンおよびグリセロールまたはソルビトールのようなコーティング剤でつくられた密封軟カプセルが含まれる。プッシュ−フィットカプセルは、ラクトースまたはスターチのような充填剤または結合剤、タルクまたはステアリン酸マグネシウムのような滑沢剤、および所望により安定剤と混合された活性成分を含有し得る。軟カプセルにおいて、活性化合物は、安定剤の入ったまたは入っていない適当な液体、例えば脂肪油、液体パラフィン、または液状ポリエチレングリコール中に溶解または懸濁し得る。
【００３３】
非経口投与のための医薬製剤は、活性化合物の水性溶液を含む。注射のために、本発明の医薬組成物は、水性溶液、好ましくはハンクス溶液、リンゲル溶液のような生理学的に適合する緩衝液または生理学的緩衝性食塩水中で製剤化され得る。水性注射懸濁液は、ナトリウムカルボキシメチルセルロース、ソルビトール、またはデキストランのような、懸濁液の粘度を増加させる物質を含有し得る。さらに、活性化合物の懸濁液は、適当な油性注射懸濁液として調製され得る。適当な親油性溶媒またはビヒクルには、ゴマ油のような脂肪油、または合成脂肪酸エステル、例えばオレイン酸エチルまたはトリグリセライド、またはリポソームが含まれる。所望により、懸濁液は、また、適当な安定剤、または該化合物の溶解度を増加させて高濃度の溶液の製剤を可能にする剤を含み得る。
【００３４】
局所投与または鼻腔内投与のために、特定のバリアに適した浸透剤が製剤において使用される。かかる浸透剤は、一般に、当分野において既知である。
【００３５】
本発明の医薬組成物は、当分野において既知の標準的製造手順（例えば、通常の混合、溶解、造粒、糖衣錠化、ゲル化（levigating）、乳化、カプセル化、封入または凍結乾燥プロセス）に実質的にしたがって製造され得る。
【００３６】
本発明は、また、ｍＴＯＲに依存する疾患または病状を診断または予後診断する方法であって：個体からサンプルを取得すること；当該サンプルを、当該サンプル中のＡＴＰレベルを示すマーカーの存在について分析すること；およびその存在（または非罹病個体から得られた値と比較した該マーカーの該レベルの上昇）を、好ましくない予後診断または診断と関連付けることを含んでなる方法を提供する。そのようなマーカーは当業者により容易に選択され、そして、例えば糖分解酵素またはそれらの活性を含む。したがって、正常組織に対する、かかるマーカーの存在またはその活性の統計的に有意な上昇は、好ましくない予後診断または診断を示唆する。細胞内ＡＴＰ濃度は、それ自体、かかるマーカーとして、およびｍＴＯＲシグナル伝達に依存する疾患または病状のより高いリスクを有する個人のインジケーターとして作用し得る。
【００３７】
好ましい実施態様において、本発明は、本発明の診断または予後診断方法における使用に適したキットを提供する。かかるキットは、これらの方法を行うのに有用な試薬、例えば、該マーカー（例えば、糖分解酵素）の特定の抗体、糖分解酵素の活性を検出する、またはＡＴＰを検出するのに有用な試薬、例えばルシフェラーゼを含んでなる。
【００３８】
ここで、本発明の好適な実施態様を、例を用いて記載するが、これはいかなる手段でも限定と見なされるべきではない。
【００３９】
実施例
実施例１  ｍＴＯＲは代謝インヒビターに感受性である。
ｍＴＯＲはアミノ酸に感受性であり、そしてリボソーム生合成を調節する（Dennis et al., 1999；Gingras et al., 2001；Schmelzle and Hall, 2000）ので、我々は、その活性が代謝インヒビターに感受性であるか否かについて試験した。我々は、ＡＴＰ産生を減少させる糖分解性またはミトコンドリア性インヒビターの存在下でのｍＴＯＲ機能に関するリポーターとして、インスリン誘導Ｓ６Ｋ１活性化および４Ｅ−ＢＰ１リン酸化反応を用いた。
【００４０】
簡便には、ヒト胚性腎細胞（ＨＥＫ２９３）を、過去に記載されたように播種および維持した（Pullen et al., Science 279, 707 (1998)）。コンフルエント細胞を、２０時間血清枯渇状態にし、次いで抽出する（対照）か、あるいは１００ｍＭ ２−デオキシグルコースまたは２０ｍＭ ロテノンの存在または不存在下にて、２００ｎＭインスリンで３０分間処理した。細胞抽出、キナーゼアッセイおよびウエスタンブロット解析（Ｓ６Ｋ１レベルおよびＴ３８９リン酸化反応を測定するために使用した）を、記載されたように行った（Pullen et al., 1998）。リン酸特異的抗体は、商品として入手可能である（例えば、New England Biolabs）。阻害効果はロテノンで観察されたが、糖分解インヒビター ２−デオキシグルコース（２−ＤＧ）は、ミトコンドリア性インヒビター、ロテノンよりも、Ｓ６Ｋ１ Ｔ３８９リン酸化反応およびＳ６Ｋ１活性化の阻害（Ｓ６リン酸化反応を検出することにより測定された）において効果的であり、リン酸化反応／活性化をバックグラウンド水準まで低下させることが示された。
【００４１】
これらの結果は、ｍＴＯＲの異なる標的、すなわち４ＥＢＰ−１を用いて確認された。トランスフェクションは、本質的にManteuffel et al., 1997, Mol Cell. Biol. 17, 5426に記載されたように、該文献に記載された４ＥＢＰ−１構築物を用いて行われた。一過性にトランスフェクトされたＨＡ−４Ｅ−ＢＰ１の発現およびリン酸化反応は、本質的に上に記載（Pullen et al., 1998）されたように、それぞれ、Ｓ６５に対するポリクローナル抗−ＨＡ抗体およびリン酸特異的抗体を用いて測定された。抗−ＨＡ抗体は、商業的供給源から入手した（Santa Cruz Biotechnology, Inc）。４Ｅ−ＢＰ１におけるｍＴＯＲ−介在性リン酸化反応部位は、Ｓ６５である。ウエスタンブロット解析は、インスリン刺激細胞におけるＳ６５リン酸化反応に対するロテノンの阻害効果を示したが、糖分解インヒビター ２−デオキシグルコース（２−ＤＧ）は、バックグラウンド水準まで４ＥＢＰ−１ Ｓ６５リン酸化反応を阻害する能力により示されるように、いっそうさらに有効であった。Ｓ６５部位のリン酸化反応がヨード酢酸またはジニトロフェノール［これらは、それぞれ、糖分解またはミトコンドリア性インヒビターとして既知である（すなわち、ヨード酢酸はジニトロフェノールより効果的であることが見出された。）。］での処理の後に測定された場合、同様の結果が得られた。
【００４２】
要約すれば、代謝インヒビターであるヨード酢酸、ジニトロフェノール、２−デオキシグルコースおよびロテノンは、すべて、ｍＴＯＲ標的のリン酸化を阻害することができる。しかしながら、糖分解インヒビター（２−デオキシグルコースおよびヨード酢酸）のみが、バックグラウンドレベルまでｍＴＯＲ標的のリン酸化を低減化することができる。
【００４３】
実施例２  ｍＴＯＲは細胞内ＡＴＰの変化に感受性である。
ｍＴＯＲは糖分解インヒビターに感受性であるので、我々は、ｍＴＯＲが細胞内ＡＴＰ濃度の変化に感受性であるか否かについて決定したかった。ＡＴＰレベルは、実施例１のように処理された偽トランスフェクトＨＥＫ２９３細胞（空のベクターを用いる）から、ルシフェラーゼに基づくアッセイを用いて測定された。ロテノンおよび２−デオキシグルコース処理が、インスリン刺激細胞に対して行われた。
【００４４】
ＡＴＰアッセイのための抽出物を作成するために、細胞を１０ｍｌの氷冷ＰＢＳで２回洗浄し、入念にドレインし、１ｍｌのバッファー（１００ｍＭ Ｔｒｉｓ−ＨＣｌおよび４ｍＭ ＥＤＴＡ ｐＨ ７.７５）中にこすり落とし、そしてエッペンドルフチューブに移し、その後、液体窒素中で瞬間冷凍した。冷凍した細胞を３分間沸騰させ、次いで、氷の上に５分間置き、続いて、１３,０００ｒｐｍで４℃にて５分間遠心分離した。抽出物のＡＴＰレベルを、Ｍｉｃｒｏｌｕｍａｔ ＬＢ９６Ｐマイクロタイタープレートリーダー（EG&G Berthold）を用いて、ルシフェラーゼに基づくアッセイ（Roche, ATP Bioluminescence Assay Kit CLS II）によりマイクロタイター中で測定した。インスリン刺激対照（１００％）のパーセンテージとしての、例示的セットの実験および発現結果において、ＡＴＰレベルはインスリン処理細胞においてわずかに上昇し（非刺激細胞の９４％）、２−デオキシグルコース処理細胞（４０〜４９％）およびロテノン処理細胞（７５〜８３％）において減少した。したがって、ＡＴＰ濃度を低下させる各剤の能力は、Ｓ６Ｋ１活性化の阻害における有効性とパラレルであり、このことは、ｍＴＯＲが細胞内ＡＴＰの変化に感受性であることを示唆している。
【００４５】
実施例３  代謝インヒビターの選択性
Ｓ６Ｋ１および４Ｅ−ＢＰ１リン酸化反応に対する効果と比較して、ＡＴＰ濃度の減少におけるロテノンの穏和な効果は、該代謝インヒビターが一般的に毒性ではないことを示唆している。これを確かめるために、２−デオキシグルコースの効果を、プロテインキナーゼＢ（ＰＫＢ）およびマイトジェン活性化プロテインキナーゼ（ＭＡＰＫ）に対して試験した。
【００４６】
一過性にトランスフェクトされた、ＨＡ−タグ化ＰＫＢの活性化は、直接的に抽出された血清枯渇細胞からの免疫沈降後に、あるいは１００ｍＭ ２−デオキシグルコース、２０ｎＭ ラパマイシンまたは１００ｎＭ ウォルトマンニンの添加を伴うまたは伴わないインスリン刺激後に、基質としてヒストン２Ｂ（Ｈ２Ｂ）を用いてインビトロで測定された（Franke et al., 1995, Cell 81, 727）。ラパマイシンおよびウォルトマンニンを、インスリン刺激の３０分前に血清枯渇細胞に添加した。ＨＡ−ＰＫＢの発現およびＳ４７３リン酸化反応は、本質的に上に記載したように測定された。ミエリン塩基性タンパク質（ＭＢＰ）を用いることに対するＨＡ−ＭＡＰＫキナーゼ活性は、直接的に、または２０ｎＭ ラパマイシンもしくは１００ｍＭ ２−デオキシグルコースの存在下または不存在下での３０分間の１００ｎＭ ＴＰＡ刺激後に、抽出された血清枯渇細胞から測定された（N. Pullen et al., 1998）。
【００４７】
ラパマイシンのように、２−デオキシグルコースは、Ｓ４７３リン酸化反応およびＨ２Ｂのインビトロリン酸化反応により判断されるように、ＰＫＢのインスリン誘導活性化を阻害しなかった。しかしながら、Ｓ４７３およびＨ２Ｂリン酸化反応の両方は、ウォルトマンニン、ホスファチジルイノシチド−３ＯＨキナーゼ（ＰＩ３Ｋ）インヒビターに感受性であることが示された。さらに、２−デオキシグルコースは、ＭＢＰリン酸化反応により判断されるように、ＴＰＡ−誘導ＭＡＰＫ活性化に対して認識可能な効果を有していなかった。それ故に、ＡＴＰ濃度を減少させる２−デオキシグルコースの効果は、Ｓ６Ｋ１および４Ｅ−ＢＰ１へのシグナル伝達に関して選択的である。
【００４８】
実施例４  ２−デオキシグルコースによるｍＴＯＲシグナル伝達の特異的阻害
Ｓ６Ｋ１活性化に対する２−デオキシグルコースの阻害効果がｍＴＯＲにより仲介されるか否かを評価するために、我々は、Ｓ６Ｋ１のラパマイシン耐性対立遺伝子を使用した。ラパマイシン耐性は、グルタチオン−Ｓ−トランスフェラーゼをＳ６Ｋ１のＮＨ２−末端と融合させ、そしてＣＯＯＨ−末端をトランケートし、ＧＳＴ−ΔＣ−Ｓ６Ｋ１と呼ばれる構築物を作成することにより与えられた（Pullen et al., 1998）。ＧＳＴ−ΔＣ−Ｓ６Ｋ１（ＧＳＴ−ΔＣ１０４−Ｓ６Ｋ１としても知られている）およびＤ３Ｅ、Ｋ１００Ｑ−Ｓ６Ｋ１−ＧＳＴプラスミド構築のために、同様のクローニングストラテジーが使用された。一過性にトランスフェクトされた、血清枯渇ＨＥＫ２９３細胞からのＳ６Ｋ１−ＧＳＴまたはＧＳＴ−ΔＣ−Ｓ６Ｋ１は、直接的に、あるいは２０ｎＭ ラパマイシンまたは１００ｎＭ ウォルトマンニンの添加を伴うまたは伴わないインスリン刺激後に、抽出された。キナーゼ活性、発現レベルおよびＴ３８９リン酸化反応は、本質的に上に記載したように行われた。Ｓ６Ｋ１−ＧＳＴまたはＧＳＴ−ΔＣ−Ｓ６Ｋ１の発現および活性は、インスリン刺激のみの後で、または本質的に上で記載したように２−デオキシグルコース（２０、４０および１００ｍＭ）を増量して、測定された。偽トランスフェクトＨＥＫ２９３細胞は、同じ条件を用いて処理され、そしてＡＴＰ分析のために抽出された。
【００４９】
ＣＯＯＨ−末端ＧＳＴタグ（Ｓ６Ｋ１−ＧＳＴ）を有するＳ６Ｋ１、およびＧＳＴ−ΔＣ−Ｓ６Ｋ１の両方がリン酸化され、そしてウォルトマンニン感受性の様式でインスリンにより活性化されるが、ＧＳＴ−ΔＣ−Ｓ６Ｋ１のみがラパマイシンによる阻害に耐性であった。２−デオキシグルコースは、用量依存的様式でＳ６Ｋ１−ＧＳＴ（ラパマイシン感受性）のインスリン誘導活性化を減少させ、これは細胞内ＡＴＰ濃度に対する効果とパラレルであった。インスリン刺激対照（１００％）におけるＡＴＰレベルと比較して、ＡＴＰレベルは、２０、４０および１００ｎＭ ２−デオキシグルコースでのＳ６Ｋ１−ＧＳＴトランスフェクト細胞の処理後に、それぞれ、５７〜５９％、４３〜４８％および３２〜３６％に減少した。対照的に、ＧＳＴ−ΔＣ−Ｓ６Ｋ１（ラパマイシン耐性）のインスリン誘導活性化は、２−デオキシグルコース処理により影響されなかった。かくして、２−ＤＧは、ｍＴＯＲエフェクターに対するシグナル伝達を選択的に阻害すると思われ、このことは、ｍＴＯＲが細胞内ＡＴＰ濃度により制御されているというモデルを支持している。
【００５０】
実施例５  細胞内ＡＴＰレベルは、ｍＴＯＲ活性に対して直接的な効果を有する。
ｍＴＯＲシグナル伝達はアミノアシル化ｔＲＮＡの濃度に依存しているので（Iiboshi et al., 1999, J.Biol.Chem. 274, 1092）、Ｓ６Ｋ１および４Ｅ−ＢＰ１に対するＡＴＰの効果は、ｔＲＮＡのアミノアシル化の阻害を経由して起こり、間接的であり得る。この可能性を調べるために、酸−尿素ポリアクリルアミドゲル（これは、非アシル化ｔＲＮＡからアミノアシル化ｔＲＮＡを分離する。）上で細胞性トータルｔＲＮＡを解析した。
【００５１】
簡便には、トータルＲＮＡは、直接的に、あるいは２−デオキシグルコースまたはアミノ酸枯渇を伴うまたは伴わないインスリン刺激後に、血清枯渇ＨＥＫ２９３細胞から単離された。対照マーカーとして、ｔＲＮＡを、穏和なアルカリ加水分解により０.１Ｍ Ｔｒｉｓ−ＨＣｌ（ｐＨ ８.０）中で７５℃にて５分間脱アセチル化した。酸／尿素ゲル上での分離（Enriquez et al., in Methods Enzymol., Acad. Press, San Diego, vol. 264, pp. 183.）後、ｔＲＮＡをエチジウムブロミド染色で可視化した。内因性Ｓ６Ｋ１および４Ｅ−ＢＰ１の発現レベルおよびリン酸化反応状態は、また、実施例１に本質的に記載された培地中でアミノ酸の存在下または不存在下にてインスリンで刺激された、血清枯渇細胞からも測定された。
【００５２】
インスリン刺激および２−デオキシグルコース処置は、ともに、アミノアシル化ｔＲＮＡの総量に効果がなかった。予期せぬことに、かかる処置がＳ６Ｋ１および４Ｅ−ＢＰ１のリン酸化反応を完全にブロックするのに十分であったにもかかわらず、アミノ酸欠乏も効果がなかった。
【００５３】
この知見をさらに試験するために、選択されたｔＲＮＡは、上記の酸／尿素電気泳動により分離されるｔＲＮＡのノーザンブロット解析により調べられた。個々のｔＲＮＡ種を、ナイロン膜に電気泳動後に、ｔＲＮＡＬｅｕおよびｔＲＮＡＨｉｓ、すなわち：ｔＲＮＡＬｅｕ  ５'−ＧＣＧ ＣＣＴ ＴＡＧ ＡＣＣ ＧＣＴ ＣＧＧ ＣＣＡ ＣＧ−３'（配列番号１）；ｔＲＮＡＨｉｓ  ５'−ＧＧＴ ＧＣＣ ＧＴＧ ＡＣＴ ＣＧＧ ＡＴＴ ＣＧＡ ＡＣＣ Ｇ−３'（配列番号２）；およびｔＲＮＡＴｈｒ  ５'−ＧＣＧ ＡＧＡ ＡＴＴ ＧＡＡ ＣＴＣ ＧＣＧ−３'（配列番号３）に特異的な放射標識オリゴヌクレオチドでプローブ化した。トータルｔＲＮＡと同様に、該処置は、ロイシル、ヒスチジルまたはスレオニルｔＲＮＡのアミノアシル化状態に効果がなかった。このことは、アミノアシル化ｔＲＮＡの量よりもむしろアミノ酸プールが、ｍＴＯＲシグナル伝達にとって重要であることを示唆している。
【００５４】
各々のアミノ酸レベルは、アミノ酸の存在下または不存在下で、あるいは１００ｍＭ ２−デオキシグルコース処理を伴って、インスリン刺激ＨＥＫ２９３細胞から調製された抽出物から測定され、そしてアミノ酸の存在下でのインスリン刺激対照のパーセンテージとして表される。簡便には、ＨＥＫ２９３細胞のコンフルエント培養物を上記のように処理し、ＰＢＳで洗浄し、そして入念にドレインした。次いで、細胞を５００ｍｌの水中にこすり落とし、そして１０秒間パルス４回で超音波処理した。細胞残屑を遠心分離により除去し、そしてスルホサリチル酸を上清に加えて、２％の最終濃度とした。次いで、該サンプルを氷上に３０分間置き、続いて、沈澱したタンパク質を除くために遠心分離をした。次いで、抽出物を、Ｂｉｏｃｈｒｏｍ ２０とアミノ酸分析器（Amersham-Pharmacia Biotech）を用いて、アミノ酸について分析した。
【００５５】
アミノ酸欠乏は、必須アミノ酸、特に分枝鎖アミノ酸の量の減少をもたらすことが示された。例えば、Ｌｅｕ、ＩｌｅおよびＶａｌレベルは、対照の１０〜２０％まで減少した。対照的に、２−デオキシグルコースは、アミノ酸レベルにほとんど影響がなかった（Ａｌａ、Ｇｌｕ、Ｌｅｕ、ＩｌｅおよびＶａｌ、すべて１００〜１２０％）。さらに、アミノ酸欠乏は、ＡＴＰの濃度に対して全く影響がなかった。かくして、ＡＴＰによるｍＴＯＲの調節は、アミノ酸プールに非依存的である。
【００５６】
実施例６  ｍＴＯＲ活性は、高いＡＴＰ濃度を必要とする。
ＡＴＰ濃度を減少させることは、翻訳後修飾を介してｍＴＯＲ活性の安定的変化をもたらし得るか、またはＡＴＰはｍＴＯＲ活性に直接的に影響し得る。第一の可能性を試験するために、我々は、ＨＥＫ２９３中でＨＡエピトープ−タグ化ｍＴＯＲを一過性に発現させ、そして２−デオキシグルコースでの細胞の処理後にその活性を測定した。
【００５７】
簡便には、一過性にトランスフェクトした、ＨＥＫ２９３細胞からのヘマグルチニン−タグ化（ＨＡ）野生型ｍＴＯＲ（ＨＡ−ｍＴＯＲｗｔ）を、インスリン刺激の前に１６時間血清枯渇状態にした。次いで、細胞を１００ｍＭ ２−デオキシグルコース（コントロールにはこれは入っていない）で処理するか、または上記したようにアミノ酸枯渇状態にした。細胞抽出物を、免疫沈降のためにモノクローナル抗−ＨＡ抗体を用いて調製した。該免疫複合体を、アッセイバッファー（３０ｍＭ ＭＯＰＳ（ｐＨ７.５）、５ｍＭ ＮａＦ、２０ｍＭ β−グリセロール ホスフェート、１ｍＭ ジチオエリスロリトール（dithioerythritol）、０.１％ Ｔｒｉｔｏｎ Ｘ−１００および１０％グリセロール）中の１Ｍ ＮａＣｌで１回洗浄し、そしてアッセイバッファー単独で２回洗浄した。ＨＡ−ｍＴＯＲｗｔを、Ｔ３８９キナーゼ活性に関して、基質としてＳ６Ｋ１（D3E, Pearson et al., 1995, EMBO J. 14, 5279；K100Q-GST, von Manteuffel et al., 1997, Mol. Cell. Biol. 17, 5426）のキナーゼ不活性変異体を用いてアッセイした。１マイクログラムのキナーゼ不活性、精製、可溶性Ｓ６Ｋ１基質（Ｓ６Ｋ１−Ｄ３Ｅ,Ｋ１００Ｑ−ＧＳＴ）を、１０ｍＭ ＭｇＣｌ２および１ｍＭ ＡＴＰを含有するアッセイバッファーとともに添加し、そして３０℃で３０分間インキュベートした。Ｋｍの定量測定を、走査型デンシトメトリーおよびＩｍａｇｅＱｕａｎｔソフトウェア（Molecular Dynamics）を用いて行った。
【００５８】
ＰＩ３Ｋの活性化対立遺伝子がインビトロでｍＴＯＲ活性に影響するかどうかを試験するために、ＨＡ−ｍＴＯＲｗｔを、単独または構成的膜タグ化ホスファチジルイノシチド−３−ＯＨキナーゼ（CD2-PI3K, Reif et al., 1997, J. Biol. Chem. 272, 14426）で、標準的技術を用いて一過性に発現させ、次いで、直接的に抽出するか、または本質的に上記したように抽出前にインスリンで刺激した。
【００５９】
２−デオキシグルコース処理は、Ｓ６Ｋ１のインスリン誘導活性化をブロックした（実施例１参照）が、Ｓ６Ｋ１のＴ３８９に対するｍＴＯＲのキナーゼ活性に対して、インビトロで効果はなかった。実際、アミノ酸欠乏、インスリン刺激、またはＰＩ３Ｋの活性化対立遺伝子の一過性発現は、インビトロでｍＴＯＲキナーゼ活性に対して効果がなかった。かくして、翻訳後修飾は、直接的にｍＴＯＲ活性に影響するわけではないようである。
【００６０】
対照として、Ｍｙｃ−タグ化、野生型Ｓ６Ｋ１を、単独で、あるいは枯渇またはインスリン刺激ＨＥＫ２９３細胞におけるＣＤ２−ＰＩ３Ｋとともに発現させた。Ｓ６Ｋ１キナーゼ活性を、抗−ｍｙｃ抗体およびＣｄ２−ＰＩ３Ｋ、ならびにインスリンでの免疫沈降後に実施例１におけるようにアッセイすると、ＣＤ''−ＰＩ３Ｋがインタクト細胞においてＴ３８９リン酸化反応およびＳ６Ｋ１活性化を誘導できることが示された。
【００６１】
次に、我々は、哺乳動物細胞において１〜５ｍＭの生理学的レベルを達成するＡＴＰ濃度にて、インビトロでｍＴＯＲ活性を測定した（Gribble et al., 2000, J.Biol.Chem. 275, 30046）。ＨＡ−ｍＴＯＲｗｔおよび不活性ｍＴＯＲキナーゼの発現および活性を、本質的に上記したように基質としてＳ６Ｋ１（Ｔ３８９リン酸化反応）または４Ｅ−ＢＰ１（Ｓ６５リン酸化反応）を用いてアッセイした。該アッセイにおいて使用されたＡＴＰ濃度は、不活性キナーゼについては３.０ｍＭであり、そして野生型ｍＴＯＲについては０.２、０.４、０.８、１.６、２.３および３.０ｍＭであった。
【００６２】
Ｓ６Ｋ１ Ｔ３８９リン酸化反応についてのｍＴＯＲの特異的活性は、約１ｍＭ ＡＴＰまで上昇し、約２〜３ｍＭ ＡＴＰで飽和するが、触媒的不活性ｍＴＯＲ変異体は、Ｔ３８９をリン酸化しなかった。これらの値に基づいて、我々は、ＡＴＰについての見かけのＫｍを少なくとも１ｍＭと計算した。これまで解析されたほとんどのプロテインキナーゼは、１０〜２０ｍＭのＡＴＰについての見かけのＫｍを示し（Edelman et al., in Annu.Rev.Biochem., Annual Reviews Inc., Palo Alto, 1987, vol. 56, pp. 567）、その５分の１から１００分の１の値がｍＴＯＲについて観察された。ｍＴＯＲは、また、４Ｅ−ＢＰ１のいくつかの部位（Ｓ６５を含む）をリン酸化するので、我々は、また、４Ｅ−ＢＰ１のＳ６５についてｍＴＯＲのＡＴＰ要求量をアッセイした。Ｓ６Ｋ１におけるＴ３８９リン酸化反応について記載された同一のアッセイ条件を用いて、我々は、Ｓ６５リン酸化反応に関してほとんど同一の結果を得た。これらの知見は、ＡＴＰエフェクターとしてのｍＴＯＲの役割を果たし、そしてそれが該細胞におけるＡＴＰの直接的センサーであることを示唆している。したがって、ＡＴＰの細胞内濃度はｍＴＯＲを直接的に調節するが、アミノ酸は別のメカニズムを使用する。
【００６３】
理論に縛られることを望むことなく、本発明者らは、ＡＴＰが真核細胞において利用されているので、ｍＴＯＲは、細胞内ＡＴＰ濃度を反映するためにリボソーム生合成速度を調節する、ホメオスタチックセンサーとして機能していると提案する。興味深いことに、増加したリボソーム生合成は、腫瘍進行の予測インジケーターであり（Derenzini et al., 2000, J. Pathol. 191, 181）、そして腫瘍において、代謝流束が糖分解に向け直され、ＡＴＰがより速く産生される（Pfeiffer et al., 2001, Science 292, 504 (2001); Dang et al., 1999, Trends Biochem. Sci. 24, 68）。ＡＴＰの産生の増加のために、かかる腫瘍がｍＴＯＲ−特異的成長の利点を得ているならば、それらはｍＴＯＲインヒビターの影響にさらに感受性であり得る。ＡＴＰに関してのｍＴＯＲの低いＫｍ（１ｍＭ）のため、腫瘍は、また、細胞ＡＴＰレベルの減少にさらに感受性であり得る。対照的に、たいていの細胞性キナーゼは、１０〜２０μＭの範囲のＡＴＰに関してのＫｍを有し、そしてわずかに減少した細胞内ＡＴＰ濃度により影響されないであろう。
【００６４】
本明細書において引用したそれぞれの刊行物の開示は、出典明示により、個々の文献が個別的に引用されているかの如く、それらの全体を本明細書に包含させる。
【００６５】
【表１】
2005505306.tif 000002
【国際公開パンフレット】
2005505306.tif 000003
2005505306.tif 000004
2005505306.tif 000005
2005505306.tif 000006
2005505306.tif 000007
2005505306.tif 000008
2005505306.tif 000009
2005505306.tif 000010
2005505306.tif 000011
2005505306.tif 000012
2005505306.tif 000013
2005505306.tif 000014
2005505306.tif 000015
2005505306.tif 000016
2005505306.tif 000017
2005505306.tif 000018
2005505306.tif 000019
2005505306.tif 000020
2005505306.tif 000021
2005505306.tif 000022
2005505306.tif 000023
2005505306.tif 000024
2005505306.tif 000025
【国際調査報告】
2005505306.tif 000026
2005505306.tif 000027
2005505306.tif 000028
2005505306.tif 000029
2005505306.tif 000030